(57)【要約】      （修正有）【課題】重さを軽くし、コストを節約し、メンテナンスしやすく運転が更に効率的な風力機を提供する。【解決手段】風力機は、シャフト１０と、羽根モジュール２０と、支持フレーム３０と、からなる。シャフトの外側の一端には第一サポートバー１１が、他端には第二サポートバー１２が、それぞれ環状に設けられ、第一サポートバー及び第二サポートバーは輻射状を呈して均等に排列され、互いに平行対称をなす。各羽根モジュールは、第一ジョイントバー２１と、羽根２３と、第二ジョイントバー２２とを備え、羽根の片側に第一ジョイントバーが、羽根の他方の側に第二ジョイントバーが接続され、第一ジョイントバーは第一及び第二サポートバーに枢接され、羽根を折り返し運動させる。支持フレームの頂端はシャフトに枢接され、シャフトを支持フレームにおいて垂直回転運動させる。【選択図】図１
0003215268.tif 000002
【実用新案登録請求の範囲】
【請求項１】
一つのシャフトと、複数の羽根モジュールと、一つの支持フレームと、からなる風力機であって、
前記シャフトは、複数の第一サポートバーと、複数の第二サポートバーと、を備え、前記第一サポートバーは、シャフトの外側の一端に環状に設けられるとともに、輻射状を呈して均等に排列され、前記第二サポートバーは、前記シャフトの外側の他端に環状に設けられるとともに、輻射状を呈して均等に排列され、且つ前記の第二サポートバー及び前記の第一サポートバーは互いに平行に対称をなし、
各前記羽根モジュールは、一つの第一ジョイントバーと、一つの羽根と、一つの第二ジョイントバーと、を備え、前記羽根の片側は前記第一ジョイントバーと接続され、前記羽根の他方の側は前記第二ジョイントバーと接続され、その内、前記第一ジョイントバーは、前記第一サポートバー及び前記第二サポートバーと枢接され、これにより、前記羽根を折り返し運動させ、
前記支持フレームの頂端は、前記シャフトに枢接され、これにより、前記支持フレームにおいて前記シャフトを垂直回転運動させることを特徴とする、風力機。
【請求項２】
前記風力機は、さらに、一つの風向制御板及び一つの回転式台座を備え、前記風向制御板は前記支持フレームの外側に設けられ、前記回転式台座は前記支持フレームの底部に連接され、これにより、前記回転式台座において前記支持フレームを水平に回転させることを特徴とする、請求項１に記載の風力機。
【請求項３】
前記シャフトの一端は、一つのブレーキ制御装置に接続され、前記ブレーキ制御装置は前記シャフトの回転運動の停止を制御し、また、前記シャフトの他端は、一つの動力出力ユニットに接続され、前記シャフトが回転運動をする時、前記動力出力ユニットを用いて動力エネルギーを供給することを特徴とする、請求項１に記載の風力機。
【請求項４】
前記羽根の材質は、帆布、プラスチック及び金属材質の内から任意に一つを選んで用いることを特徴とする、請求項１に記載の風力機。
【考案の詳細な説明】
【技術分野】
【０００１】
本考案は風力機に関し、特に、前記の羽根が折り返す運動を利用して前記シャフトを速く回転させて動かし、運転時更に効率よく、さらに重さを軽くし、コストを節約し修理がしやすいという使用効果を達成することができる風力機を提供することを目的とする。
【背景技術】
【０００２】
一般的に言うと、風力機の大半は、その中心のシャフト上に複数の羽根が架設され、且つこれらの羽根は中身の詰まった構造であり、羽根の材質は多くの場合、金属製であるか、或いは複合材料を用いるため、その羽根は非常にかさばって重く、より強い風力で前記風力機を動かすことが必要であり、取外しにしてもメンテナンスにしても多くの工程が無駄にかかってしまう。
【０００３】
その外にも、従来の風力機羽根はシャフト上に固定され、可動性が十分でなく、風力によりシャフトを回転させて羽根を動かす時、羽根は依然としてシャフト上にくっついて様々な夾角を地面と形成するため、したがって、くっついた羽根は風にそって折り返すことができないため、大きな摩擦抵抗を生じ、発電効率を低下させてしまう。  
【０００４】
このことに鑑みて、本考案者は研究、設計製作に没頭し、ついに風力機を提供することができた。前記風力機は、前記の羽根の折り返し運動を利用して前記シャフトを速く回転させ、その運転時更に効率的で、また重量を軽くし、コストを節約できるとともに、メンテナンスがしやすいという使用効果を達成することができる。このことは、本考案が研究開発しようとする考案の動機である。
【考案の概要】
【考案が解決しようとする課題】
【０００５】
本考案は、重量を軽くし、効率を高め、コストを節約するとともにメンテナンスがしやすい等の効果を備えた風力機を提供することを主な目的とする。
【課題を解決するための手段】
【０００６】
上記の目的を達成するための本考案の風力機は、一つのシャフトと、複数の羽根モジュールと、一つの支持フレームと、からなる。前記シャフトの外側の一端には、複数の第一サポートバーが環状に設けられ、前記の第一サポートバーは輻射状を呈して均等に排列され、前記シャフトの外側の他端には、複数の第二サポートバーが環状に設けられ、前記の第二サポートバーは輻射状を呈して均等に排列され、且つ前記の第二サポートバー及び前記の第一サポートバーは互いに平行に対称をなす。各前記羽根モジュールは、一つの第一ジョイントバーと、一つの羽根と、一つの第二ジョイントバーと、からなり、前記羽根の片側は前記第一ジョイントバーと接続され、前記羽根の他方の側は前記第二ジョイントバーと接続され、その内、前記第一ジョイントバーは、前記第一サポートバー及び前記第二サポートバーと枢接され、前記羽根を折り返し運動させ、前記支持フレームの頂端は、前記シャフトに枢接され、これにより、前記支持フレームにおいて前記シャフトを垂直回転運動させる。これによって、更に効率的に風力を取り込むことができ、重さを軽くし、コストを節約するとともにメンテナンスをしやすくするという効果を達成することが可能である。
【０００７】
上記の風力機は、更に一つの風向制御板及び一つの回転式台座を備え、前記風向制御板は前記支持フレームの外側に設けられ、前記回転式台座は前記支持フレームの底部に接続され、これにより、前記支持フレームを前記回転式台座で水平に回転させる。
【０００８】
上記の風力機の内、前記シャフトの一端には、一つのブレーキ制御装置が接続され、前記ブレーキ制御装置は前記シャフトの回転運動の停止を制御する。また前記シャフトの他端には、一つの動力出力ユニットが接続され、前記シャフトが回転運動をする時、前記動力出力ユニットを用いて動力エネルギーを提供し、または、動力を発電用とすることができる。
【０００９】
上記の風力機の内、前記羽根の材質は帆布、プラスチック及び金属材質の内任意の一つを選択する。
【図面の簡単な説明】
【００１０】
【図１】本考案の実施例の立体構造概略図である。
【図２】本考案の実施例の他方の面からの立体構造概略図である。
【図３】本考案の実施例の駆動概略図である。
【図４】本考案のもう一つの実施例の立体構造概略図である。
【考案を実施するための形態】
【００１１】
（実施例１）
図１から図４を同時に参照する。本考案の風力機は、一つのシャフト１０と、複数の羽根モジュール２０と、一つの支持フレーム３０と、からなる。前記シャフト１０は、複数の第一サポートバー１１と、複数の第二サポートバー１２と、を備え、前記第一サポートバー１１は、シャフト１０の外側の一端に環状に設けられるとともに、輻射状を呈して均等に排列され、前記第二サポートバー１２は前記シャフト１０の外側の他端に環状に設けられるとともに、輻射状を呈して均等に排列され、且つ前記の第二サポートバー１２及び前記の第一サポートバー１１は互いに平行に対称をなす。各前記羽根モジュール２０は、一つの第一ジョイントバー２１と、一つの羽根２３と、一つの第二ジョイントバー２２と、を備え、前記羽根２３の片側は前記第一ジョイントバー２１と接続され、前記羽根２３の他方の側は前記第二ジョイントバー２２と接続され、その内、前記第一ジョイントバー２１は、前記第一サポートバー１１及び前記第二サポートバー１２に枢接され、これにより、前記羽根２３を折り返し運動させる。前記支持フレーム３０の頂端は、前記シャフト１０に枢接され、これにより、前記支持フレーム３０において前記シャフト１０を垂直回転運動させる。これによって、重量を軽くし、コストを節約するとともにメンテナンスしやすいという効果を達成することができる。 
【００１２】
図１を参照する。図１は本考案の立体構造の概略図である、風力機が静止しており駆動していない時、風力の影響を受けない状況下で、各前記羽根モジュール２０は地球の重力の影響を受けるため地面と垂直である。各前記羽根２３の材質は、帆布、プラスチック及び金属材質の内の任意の一つから選ぶ。前記支持フレーム３０は、前記シャフト１０と、前記の第一サポートバー１１と、前記の第二サポートバー１２と、前記の羽根モジュール２０の重量を支える。前記支持フレーム３０の外側には、更に一つの風向制御板３１を備え、気流の方向を制御し、また前記支持フレーム３０の底部には、更に一つの回転式台座３２が設けられ、これにより、前記回転式台座３２において前記支持フレーム３０を水平に回転させる。さらに図２を参照する。図２は、本考案の実施例の別方向の立体構造概略図であり、前記シャフト１０の一端には、一つのブレーキ制御装置１０１が接続され、前記ブレーキ制御装置１０１は前記シャフト１０の回転運動の停止を制御する。
【００１３】
図３を参照する。図３は、本考案の実施例の動作概略図であり、風が本考案の風力機に向かって吹いた時、前記風向制御板３１は、風が吹いてくる方向によって本考案の風力機を、風を迎える方向に調整することが可能であり、これにより、風力に押されて、前記の羽根モジュール２０を気流の方向に沿って折り返して変位させ、前記羽根モジュール２０上に枢接された第一サポートバー１１及び第二サポートバー１２も同期して回転する。前記羽根モジュール２０は前記羽根２３及び前記第一ジョイントバー２１及び前記第二ジョイントバー２２を備え、前記第一ジョイントバー２１は前記第一サポートバー１１及び前記第二サポートバー１２に枢接され、これにより、気流が吹きつけた時に前記羽根２３が折り返し運動するようにさせ、また地面と一つの夾角を形成させる。気流が強くなるにつれて、前記羽根２３が折り返される角度も大きくなる。また、前記第二ジョイントバー２２の長さは前記第一サポートバー１１及び前記第二サポートバー１２の距離より長いため、前記羽根２３の折り返し運動が加速して、前記羽根２３の本体に接触するに至った時同じ側で遮られ、設計を考えた上で、前記の羽根２３は帆布材質を選んで用いることで重量を軽くし、羽根２３の折り返し運動が摩擦抵抗を軽減し、風力機の性能を高めることが可能である。図２が示すように、風力機を静止させたい時は、前記ブレーキ制御装置１０１を用いて前記シャフト１０の回転運動を停止させる。これによって、本考案の風力機は、風力によって動かされる前記の第一サポートバー１１、前記の第二サポートバー１２及び前記の羽根モジュール２０の回転運動を用いると同時に、各前記羽根モジュール２０もそれぞれ折り返し運動し、前記シャフト１０を速く回転運動させ、エネルギーを節約するという効果を達成することが可能である。
【００１４】
（実施例２）
図４を参照する。図４は、本考案のもう一つの実施例の立体構造概略図である。本考案の風力機をさらに一歩進んで施行する場合、前記シャフト１０の一端には、一つのブレーキ制御装置１０１が接続され、前記ブレーキ制御装置１０１は、前記シャフト１０の回転運動を停止させるのを制御し、前記シャフト１０の他端には、一つの動力出力ユニット１０２が接続され、前記シャフト１０が回転運動をする時、前記動力出力ユニット１０２を用いて動力エネルギーを提供し、本考案の風力機が前記動力出力ユニット１０２によって前記シャフト１０が回転運動作で発生させた動力を出力させ、発電の効果を達成することができる。
【符号の説明】
【００１５】
１０    シャフト
１１    第一サポートバー
１２    第二サポートバー
１０１    ブレーキ制御装置
１０２    動力出力ユニット
２０    羽根モジュール
２１    第一ジョイントバー
２２    第二ジョイントバー
２３    羽根
３０    支持フレーム
３１    風向制御板
３２    回転式台座
【図１】
0003215268.tif 000003
【図２】
0003215268.tif 000004
【図３】
0003215268.tif 000005
【図４】
0003215268.tif 000006